(57)【要約】    【課題】軽量かつ柔軟で身体に対するフィット性に優れ、且つ通気性にも優れ、しかも必要に応じて着脱が簡単にできる腰部保護パッドを提供する。    【解決手段】腰部の両側部に当てる腰部保護パッド（１）を、可撓性を有する平板状をなす基部（２）と、該基部の一方の面における装着時に腸骨稜（１１）に対向する部位に突設された弾力性に富む素材からなる上側凸部（３）と、前記基部の一方の面における装着時に大転子（１２）に対向する部位に突設された弾力性に富む素材からなる下側凸部（４）とを備えるものとし、これら上側凸部と下側凸部とを、上下に分割するものとする。【選択図】図１
2005281936.tif 000002
【特許請求の範囲】
【請求項１】
腰部の両側部に当てる腰部保護パッドであって、
可撓性を有する平板状をなす基部と、該基部の一方の面における装着時に腸骨稜に対向する部位に突設された弾力性に富む素材からなる上側凸部と、前記基部の一方の面における装着時に大転子に対向する部位に突設された弾力性に富む素材からなる下側凸部とを備え、これら上側凸部と下側凸部とが、上下に分割されていることを特徴とする腰部保護パッド。
【請求項２】
前記上側凸部は、縦向きの線で複数の部分に分割されることを特徴とする請求項１に記載の腰部保護パッド。
【請求項３】
前記基部および各凸部は、発泡樹脂材或いはゲル状物質を織布或いは不職布でくるんだ上で金型で挟んで加熱して一体成型されたものであることを特徴とする請求項１若しくは２に記載の腰部保護パッド。
【発明の詳細な説明】
【技術分野】
【０００１】
本発明は、腰部に加わる外力を緩和するために用いる腰部保護パッドに関し、特に、転倒した際などに衝撃を受けやすい腸骨稜並びに大転子を保護するためにショーツやガードル、あるいはスポーツ用のスパッツ等と共に装着するのに好適な腰部保護パッドに関するものである。
【背景技術】
【０００２】
腰部の衝撃を受けやすい部位に簡単に取り付けられる骨折防護用の保護具として、破れにくく可撓性を有するシートを広面に沿って一面に埋め込んで一体に形成された弾性を有するプレート状の合成樹脂からなる第１構成部と、該第１構成部の一方の広面側に一体に積層されて該第１構成部よりも軟性を有し低反発性を備えた合成樹脂からなる第２構成部とからなる衝撃吸収パッドが知られている（特許文献１を参照されたい）。
【特許文献１】特開２００１−１２３３１１号公報
【発明の開示】
【発明が解決しようとする課題】
【０００３】
しかるに、特許文献１に記載された如き従来のものは、転倒時に損傷を受けやすい骨盤の側端部、つまり腸骨稜と、股関節を構成する大腿骨の上端部、つまり大転子とを大雑把にカバーする形状を採っており、身体との当接面を幾分か湾曲させてはいるものの、全体としてみると平板状であり、着用時にパッドの全面が体に触れることとなり、通気性が低く、また大腿部の運動に対する追従性も低く、必ずしも快適な装着感が得られるものではなかった。
【課題を解決するための手段】
【０００４】
このような従来技術の問題点に鑑み、長時間の着用でも違和感を与えることがないように、軽量かつ柔軟で大腿部の運動時に身体に対するフィット性に優れ、且つ通気性に優れ、しかも必要に応じて着脱が簡単にできる腰部保護パッドを提供するために、本発明の請求項１は、腰部の両側部に当てる腰部保護パッド（１）を、可撓性を有する平板状をなす基部（２）と、該基部の一方の面における装着時に腸骨稜（１１）に対向する部位に突設された弾力性に富む素材からなる上側凸部（３）と、前記基部の一方の面における装着時に大転子（１２）に対向する部位に突設された弾力性に富む素材からなる下側凸部（４）とを備えるものとし、これら上側凸部と下側凸部とを、上下に分割するものとした。
【０００５】
また本発明の請求項２は、前記上側凸部を、縦向きの線（隙間５）で複数の部分に分割するものとした。
【０００６】
さらに本発明の請求項３は、前記基部および各凸部を、発泡樹脂材或いはゲル状物質を織布或いは不職布（７ａ・７ｂ）でくるんだ上で金型で挟んで加熱して一体成型するものとした。
【発明の効果】
【０００７】
このような本発明の請求項１によれば、腸骨稜に対向する上側凸部と大転子に対向する下側凸部との間が、横向の分割線に沿って折れ曲がり易くなるので、脚部の運動に対する追従性が高まり、装着時にずれ難くなる。また本発明の請求項２によれば、上側凸部は、縦向きの分割線で腸骨陵に沿って折れ曲がり易くなるので、腰回りのカーブに対するフィット感を高めることができる。しかも分割されて互いに隣接した凸部同士間に隙間ができ、これによる通気作用が得られるので、装着時の快適性を高める上に効果的である。さらに本発明の請求項３によれば、パッドを単体として容易に成型し得るので、取り扱いが簡便であり、高い汎用性が得られる上、クッション性を損なわずにその外面を平坦化し得るので、着衣への影響を低減することができる。
【発明を実施するための最良の形態】
【０００８】
以下に添付の図面を参照して本発明について詳細に説明する。
【０００９】
図１は、本発明に基づき構成された腰部保護パッドの正面から見た代表的な形態を示している。この腰部保護パッド１は、上部が幾分か小さな鶏卵形或いは空豆形の外形輪郭をなす平板状の基部２と、基部２の一方の面に突設された複数の凸部３・４とからなり、左右一対を一組とされている。左右の一対は勝手反対であり、上部の中心が幾分か後方へ偏倚している。上側凸部３は、縦向きの分割線で例えば５つの部分に分割されており、互いに隣接するもの同士間に隙間５が形成されている。そして下側凸部４は、正面から見た輪郭形状が円形をなしている。またこれらの凸部３・４の側方から見た断面形状は、図２並びに図３に示したように、概ね半楕円形をなしている。
【００１０】
これらの基部２および凸部３・４は、図４に示すように、例えば軟質な発泡ポリウレタン樹脂材、或いはゲル状物質などの弾力性に富む素材６を、伸縮性に富む織布或いは不織布からなる表皮材７ａ・７ｂでくるみ、金型で挟んで加熱することで一体成型されている。
【００１１】
基部２の寸法は、厚さが３〜７mm、幅が１５０〜１９０mm、高さが２００〜２５０mmの範囲が適当である。また凸部３・４の基部表面からの突出寸法は、１５〜３０mmの範囲が適当である。
【００１２】
この腰部保護パッド１は、図５及び図６に示すように、腰部の側面に当てて用いるが、この際、凸部３・４が突出した面を身体側に向けて配置する。腰部保護パッド１を図示の位置に装着すると、歩行時や運動時にその位置が殆ど変化しない腸骨稜１１に複数の部分に縦割りされた上側凸部３が対向し、歩行時や運動時にその位置の変化が大きい大転子１２に円形をなす下側凸部４が対向する。
【００１３】
この位置に腰部保護パッド１を装着することにより、両凸部３・４の弾力性による緩衝作用によって転倒時の衝撃から腸骨陵１１並びに大転子１２が保護され、上下の凸部３・４同士間の基部２の平坦な部分が曲折し易いので、大腿部の運動による大転子１２の動きが阻害されず、また腸骨陵１１に対向する上側凸部３が縦の線で分割されているので、腸骨陵１１に上側凸部３が当たった状態で腰部保護パッド１が腰回りにフィットすると共に各凸部同士の隙間５によって通気作用が得られるので、快適な装着感が得られる。
【００１４】
上側凸部３は、図７に示すように最低でも２分割であれば良く、下側凸部４の正面から見た輪郭形状は、図７に示すような中央部を窪ませたドーナツ形などでも良い。また、各凸部３・４の側断面の輪郭形状は、台形（図７参照）などでも良い。
【００１５】
基部２と各凸部３・４とは、図３に示したような共に同一の素材６で成型するばかりでなく、図８に示すように、互いに異なる素材を重ね合わせて成型し、例えば凸部３・４の素材６よりも基部２の素材８を幾分か堅めにしても良いし、図９に示すように、合成樹脂製の薄い平板９を芯板として凸部３・４に裏打ちした形態としても良い。
【図面の簡単な説明】
【００１６】
【図１】本発明による腰部保護パッドの代表例を示す正面図である。
【図２】図１におけるII−II線に沿う断面図である。
【図３】図１におけるIII−III線に沿う断面図である。
【図４】腰部保護パッドの要部拡大断面図である。
【図５】身体への装着状態を示す背面図である。
【図６】身体への装着状態を示す側面図である。
【図７】本発明による腰部保護パッドの変形例を示す正面図である。
【図８】別の変形例の要部断面図である。
【図９】さらに別の変形例の要部断面図である。
【符号の説明】
【００１７】
１  腰部保護パッド
２  基部
３  上側の凸部
４  下側の凸部
５  隙間
６  素材
７ａ・７ｂ  表皮材
【図１】
2005281936.tif 000003
【図２】
2005281936.tif 000004
【図３】
2005281936.tif 000005
【図４】
2005281936.tif 000006
【図５】
2005281936.tif 000007
【図６】
2005281936.tif 000008
【図７】
2005281936.tif 000009
【図８】
2005281936.tif 000010
【図９】
2005281936.tif 000011